(57)【要約】【課題】ユーザ登録データ等の入力の手間を省き、的確な情報をユーザに通知し、更に嗜好コンテンツに対する動作を決定する録画再生装置を提供する。【解決手段】録画再生装置３は、番組のシーンに対して行われた操作を操作履歴データ３２６として記録し、シーンに付加されている詳細メタデータ３２８と操作履歴データ３２６に基づいて嗜好モデル３２９を作成する。コンテンツ推薦部３２７は、一定期間のＥＰＧデータ３２１と嗜好モデル３２９とに基づいて所定の推薦度を超える番組をリストアップし、リストアップされた推薦番組を録画予約する。【選択図】図３
2008167019.tif 000002
【特許請求の範囲】
【請求項１】
ユーザの指示を入力する入力部と、
所定の区間毎にメタデータが付加された第１のコンテンツを受信する受信部と、
前記所定の区間に対して行われた視聴等の操作を操作履歴として記録する操作履歴記録部と、
前記メタデータと前記操作履歴に基づいてキーワードを含むユーザの嗜好情報を作成する嗜好情報作成部と、
ユーザが利用できる第２のコンテンツの内容を表すコンテンツ情報と前記嗜好情報を対比して前記第２のコンテンツからユーザが嗜好する嗜好コンテンツを抽出し、前記嗜好コンテンツに記録、あるいは録画を含む所定の処理を施す処理部とを有することを特徴とする録画再生装置。
【請求項２】
前記操作履歴記録部は、前記所定の区間の記録、前記所定の区間の再生、前記所定の区間の削除、前記所定の区間の編集、前記所定の区間の記録の保護、前記所定の区間のパレンタルロックおよび前記所定の区間の記録の期限設定等を含む操作を前記操作履歴として記録することを特徴とする請求項１に記載の録画再生装置。
【請求項３】
前記処理部は、前記嗜好コンテンツとして画像データおよび音声データの少なくとも１つを含むコンテンツに前記所定の処理を施すことを特徴とする請求項１に記載の録画再生装置。
【請求項４】
前記処理部は、前記嗜好コンテンツとして放送番組、記録済みコンテンツ、配信コンテンツ、および各種商品等に対して動作を決定して処理を施すことを特徴とする請求項１に記載の録画再生装置。
【請求項５】
前記処理部は、前記嗜好コンテンツに対して、予約録画、録画、再生、削除および購入等の処理を施すことを特徴とする請求項１に記載の録画再生装置。
【請求項６】
ユーザの指示を入力する入力部と、
所定の区間毎にメタデータが付加された第１のコンテンツを受信する受信部と、
前記所定の区間に対して行われた視聴等の操作を操作履歴として記録する操作履歴記録部と、
前記メタデータと前記操作履歴に基づいてキーワードを含むユーザの嗜好情報を作成する嗜好情報作成部と、
ユーザが利用できる第２のコンテンツの内容を表すコンテンツ情報と前記嗜好情報を対比して前記第２のコンテンツからユーザが嗜好する嗜好コンテンツを抽出し、前記嗜好コンテンツに記録、あるいは録画を含む所定の処理を施す処理部と、
前記嗜好コンテンツの一覧を表示する表示部とを有することを特徴とする録画再生装置。
【請求項７】
前記操作履歴記録部は、前記所定の区間の記録、前記所定の区間の再生、前記所定の区間の削除、前記所定の区間の編集、前記所定の区間の記録の保護、前記所定の区間のパレンタルロックおよび前記所定の区間の記録の期限設定等を含む操作を前記操作履歴として記録することを特徴とする請求項６に記載の録画再生装置。
【請求項８】
前記処理部は、前記嗜好コンテンツとして画像データおよび音声データの少なくとも１つを含むコンテンツに前記所定の処理を施すことを特徴とする請求項６に記載の録画再生装置。
【請求項９】
前記処理部は、前記表示部に表示された前記嗜好コンテンツの一覧からユーザによって選択された前記嗜好コンテンツに対して前記所定の処理を施すことを特徴とする請求項６に記載の録画再生装置。
【請求項１０】
前記処理部は、前記嗜好コンテンツとして放送番組、記録済みコンテンツ、配信コンテンツ、および各種商品等に対して動作を決定して処理を施すことを特徴とする請求項６に記載の録画再生装置。
【請求項１１】
前記処理部は、前記嗜好コンテンツに対して、予約録画、録画、再生、削除および購入等の処理を施すことを特徴とする請求項６に記載の録画再生装置。
【発明の詳細な説明】
【技術分野】
【０００１】
本発明は、録画再生装置に関し、特に嗜好情報と嗜好コンテンツに付加されたコンテンツ情報に基づいて嗜好コンテンツに対する動作を決定する録画再生装置に関する。
【背景技術】
【０００２】
従来の技術として、ユーザの嗜好を把握してその嗜好に応じた番組をユーザに提供する嗜好分析装置が知られている（例えば、特許文献１参照）。
【０００３】
この嗜好分析装置は、放送番組を受信する受信部と、受信した放送番組およびユーザが事前に登録したユーザ登録データに基づいてユーザの嗜好を分析する嗜好分析部と、嗜好分析部に分析されたユーザの嗜好に応じた番組あるいはコンテンツを提供する情報案内処理部とを備えている。
【０００４】
この嗜好分析装置によると、嗜好分析部は、受信部が受信した放送番組の番組コードを含む視聴履歴データを取得し、当該視聴履歴データに含まれる番組コードおよびユーザが事前に登録したユーザ登録データによって特定されるコンテンツの特徴を表すキーワードを取得する。次に情報処理案内部は、当該キーワードに基づいた番組あるいはコンテンツをユーザに提供する。
【特許文献１】特開２００５−２５８８７０号公報
【発明の開示】
【発明が解決しようとする課題】
【０００５】
しかし、従来の嗜好分析装置では、番組単位のキーワードに基づいてユーザに番組あるいはコンテンツを提供するので、番組中のどの部分にユーザの嗜好があるのかを的確に知ることができず、的確な情報をユーザに通知することができない。また、事前にユーザが、ユーザ登録データを入力するといった煩雑さがあった。更に、嗜好分析装置は、キーワードに基づいた番組あるいはコンテンツを自動で録画することができなかった。
【０００６】
従って、本発明の目的は、ユーザ登録データ等の入力の手間を省き、的確な情報をユーザに通知し、更に嗜好コンテンツに対する動作を決定する録画再生装置を提供することにある。
【課題を解決するための手段】
【０００７】
（１）本発明は上記目的を達成するため、ユーザの指示を入力する入力部と、所定の区間毎にメタデータが付加された第１のコンテンツを受信する受信部と、前記所定の区間に対して行われた視聴等の操作を操作履歴として記録する操作履歴記録部と、前記メタデータと前記操作履歴に基づいてキーワードを含むユーザの嗜好情報を作成する嗜好情報作成部と、ユーザが利用できる第２のコンテンツの内容を表すコンテンツ情報と前記嗜好情報を対比して前記第２のコンテンツからユーザが嗜好する嗜好コンテンツを抽出し、前記嗜好コンテンツに記録、あるいは録画を含む所定の処理を施す処理部とを有することを特徴とする録画再生装置を提供する。
【０００８】
このような構成によれば、ユーザ登録データ等の入力の手間を省き、的確な情報をユーザに通知し、更に嗜好コンテンツに対する動作を決定することができる。
【０００９】
（２）本発明は上記目的を達成するため、ユーザの指示を入力する入力部と、所定の区間毎にメタデータが付加された第１のコンテンツを受信する受信部と、前記所定の区間に対して行われた視聴等の操作を操作履歴として記録する操作履歴記録部と、前記メタデータと前記操作履歴に基づいてキーワードを含むユーザの嗜好情報を作成する嗜好情報作成部と、ユーザが利用できる第２のコンテンツの内容を表すコンテンツ情報と前記嗜好情報を対比して前記第２のコンテンツからユーザが嗜好する嗜好コンテンツを抽出し、前記嗜好コンテンツに記録、あるいは録画を含む所定の処理を施す処理部と、前記嗜好コンテンツの一覧を表示する表示部とを有することを特徴とする録画再生装置を提供する。
【００１０】
このような構成によれば、ユーザ登録データ等の入力の手間を省き、的確な情報をユーザに通知し、更に嗜好コンテンツに対する動作を決定し、更に、嗜好コンテンツの一覧からユーザが選択指示した嗜好コンテンツに対して、処理を施すことができる。
【発明の効果】
【００１１】
本発明によれば、ユーザ登録データ等の入力の手間を省き、的確な情報をユーザに通知し、更に嗜好コンテンツに対する動作を決定することができる。
【発明を実施するための最良の形態】
【００１２】
［第１の実施の形態］
（録画再生システムの構成）
図１は、本発明の第１の実施の形態に関する録画再生システムの概略図の一例である。
【００１３】
録画再生システム１は、ネットワークの集合体であるインターネット２と、インターネット２に接続し、図示しないアンテナやインターネット２から配信される番組データを録画・再生する録画再生装置３と、録画再生装置３を離れた場所から操作可能なリモコン４と、録画再生装置３と接続し、録画再生装置３から送信される番組データ等を画面５０に表示する画像表示装置５から構成されている。
【００１４】
図２は、本発明の第１の実施の形態に係る録画再生装置の構成を示すブロック図の一例である。
【００１５】
録画再生装置３は、デジタル映像を処理するシステムＬＳＩ（Ｌａｒｇｅ  Ｓｃａｌｅ  Ｉｎｔｅｇｒａｔｉｏｎ）３０と、デジタル映像信号を受信、復調する信号受信部３１とからなる。デジタル映像以外の受信機能としては、映像信号を輝度信号と色信号とに分離する３次元ＹＣ分離３８、アナログチューナーからの出力信号を受信するためのＡ／Ｄ部３９ａ、また外部映像機器を接続するためのアナログ・デジタル変換を行うＡ／Ｄ部３９ｂ、および画面上に発生するゴーストを軽減するゴーストリダクション３９ｃを有する。
【００１６】
システムＬＳＩ３０は、信号受信部３１からのデジタル信号やデジタル化されたアナログ信号を受信し、映像、音声、および番組情報に分離するＤＥＭＵＸ（Ｄｅ−ＭＵｌｔｉｐｌｅＸｅｒ）３００と、デジタル放送やＤＶＤ等に使用されている規格であるＭＰＥＧ−２をデコードするためのＭＰＥＧ−２デコーダ３０１と、デコードされた画像信号を描画するためのグラフィックエンジン３０２と、画像表示装置５に出力する出力信号を最適化するためのデジタルフォーマットコンバータ３０３とを有する。
【００１７】
ＣＰＵ３０４は、システムＬＳＩ３０上の各部に接続されており各部をそれぞれ制御する。また、ＣＰＵ３０４より、映像や内部処理のためのプログラムや各種データを記憶するハードディスク３２と、リモコン４の操作命令受信や外部機器との接続、および本体機能部に備えられた図示しない操作スイッチに使用される入力部としてのＩ／Ｆ部３３と、図示しない外部記憶装置と接続するためのコントローラＬＳＩ３４と、インターネット２等を介して外部と通信するためのＬＡＮ処理ＬＳＩ３５と、図示しない外部記憶装置等のデータをコピーして保存するフラッシュメモリ３６と、ＣＰＵ３０４の処理中のデータを一時的に保存するＳＲＡＭ３７とが拡張して接続されている。
【００１８】
信号受信部３１は、図示しない外部アンテナに接続されて地上波デジタル放送を受信するデジタルチューナＡ３１０と、デジタルチューナＡ３１０からの出力を復調する復調部Ａ３１２と、図示しない外部アンテナに接続されてＢＳおよびＣＳ放送を受信するデジタルチューナＢ３１１と、デジタルチューナＢ３１１からの出力を復調する復調部Ｂ３１３とを有する。
【００１９】
（本体ソフトウェアの構成）
図３は、本発明の第１の実施の形態における本体ソフトウェアの構成を示す概略図の一例である。
【００２０】
録画再生装置３を制御するための本体ソフトウェア３２０Ａは、図２に示すハードディスク３２中に記憶され、図３のような構成を有する。本体ソフトウェア３２０Ａの動作は図２に示すＣＰＵ３０４により制御される。
【００２１】
本体ソフトウェア３２０Ａは、信号受信部３１で受信した番組の放送局のパケットをフィルタリングする等のＴＳ（Ｔｒａｎｓｐｏｒｔ  Ｓｔｒｅａｍ）分離処理を行うＴＳＰ（Ｔｒａｎｓｐｏｒｔ  Ｓｔｒｅａｍ  Ｐｒｏｃｅｓｓｏｒ）部３２０と、ＥＰＧ（Ｅｌｅｃｔｒｏｎｉｃ  Ｐｒｏｇｒａｍ  Ｇｕｉｄｅ）データ３２１を管理するＥＰＧ管理部３２１Ａと、番組表のデータであるＥＰＧデータ３２１と、ＴＳＰ部３２０で分離された番組データを管理する映像管理部３２２と、音声データを管理する音声管理部３２３と、番組情報等のデータ放送を管理するデータ放送管理部３２４と、番組の録画および録画コンテンツ３２５の再生を制御する録画再生部３２５Ａと、録画した番組のデータである録画コンテンツ３２５と、操作履歴データ３２６を管理する操作履歴管理部３２６Ａと、嗜好モデル３２９に基づいて推薦番組を決定する処理部としてのコンテンツ推薦部３２７と、所定の区間としてのシーン毎に詳細メタデータ３２８を作成して付加する詳細メタデータ作成部３２８Ａと、シーンのタイトル、キーワード、静止画、説明文、要約映像、および音声説明等を含むデータである詳細メタデータ３２８と、操作履歴データ３２６と詳細メタデータ３２８とに基づいて嗜好モデル３２９を作成する嗜好情報作成部としての嗜好モデル学習部３２９Ａと、ユーザの嗜好を蓄積する嗜好情報としての嗜好モデル３２９とを有する。
【００２２】
操作履歴管理部３２６Ａは、一例として、シーンの記録、再生、削除、編集、保護設定、パレンタルロック（視聴年齢制限）および削除期限設定等の操作履歴を監視して操作履歴データ３２６を作成する。
【００２３】
本実施の形態においてコンテンツ推薦部３２７は、嗜好コンテンツとしての番組の推薦を行うが、嗜好コンテンツは、一例として、記録済みコンテンツ、配信コンテンツおよび各種商品等であって良く、また、嗜好コンテンツに対する処理を含め、これに限定されない。
【００２４】
また、コンテンツ推薦部３２７は、嗜好モデル３２９と嗜好コンテンツに付加されているコンテンツ情報とに基づいて嗜好コンテンツの一覧の表示を行う。本実施の形態においては、シーンの一覧を表示した場合については、後述する。
【００２５】
なお、ＥＰＧデータ３２１、録画コンテンツ３２５、操作履歴データ３２６、詳細メタデータ３２８および嗜好モデル３２９は、ハードディスク３２に記憶されている。
【００２６】
（リモコンの構成）
図４は、本発明の第１の実施の形態に関するリモコンの構成を示す平面図の一例である。
【００２７】
リモコン４は、テレビの電源やチャンネル操作等を行えるテレビ機能操作スイッチ群４００と、ビデオ表示とルーター表示の切り替えを行うルータービデオ切替スイッチ４０１と、画面表示モードを切替え可能な表示機能操作スイッチ群４０２、映像の録画および再生を制御する記録再生操作スイッチ群４０３と、シーン選択画面の表示を行えるシーン選択画面表示スイッチ４０３ａと、選択されたシーンの推薦情報が得られる推薦情報要求スイッチ４０３ｂと、数値入力を行う数値入力スイッチ群４０４とを有する。
【００２８】
図５は、本発明の第１の実施の形態に係るＥＰＧデータのフィールド仕様の一例であり、１つの番組について表している。
【００２９】
ＥＰＧデータ３２１は、情報の種類を表す「項目名」と、「項目名」のデータの大きさを表す「長さ」と、実際に送信されるＥＰＧの内容を表す「サンプル」、「項目名」に対応する説明文である「備考」とで構成されている。
【００３０】
図６は、本発明の第１の実施の形態に係る詳細メタデータと操作履歴情報の一例である。
【００３１】
操作履歴データ３２６は、「番組識別子」、「シーン番号」、「視聴」、「保護」および「ダビング」からなり、「保護」は、０のとき、対応するシーンは削除可能であり、１のとき、対応するシーンは削除することができないことを表している。
【００３２】
なお、本実施の形態では、詳細メタデータ３２８は、「キーワード」のみを番組データに付加するものとするが、これに限定されない。また、詳細メタデータ３２８は、放送番組に付加されていても良いし、インターネット２に接続されたサーバより配信されても良いし、ユーザ同士で交換されても良いし、これに限定されない。
【００３３】
図７は、本発明の第１の実施の形態に係る推薦番組データの一例である。嗜好コンテンツとしての推薦番組は、嗜好モデル３２９に基づいてコンテンツ推薦部３２７によって推薦される。
【００３４】
推薦番組データは、「番組識別子」と、番組が放送される日時を表す「放送日」と、放送局を識別するコードである「放送局コード」と、番組を放送する局を表す「放送局名」と、番組が開始する時間である「開始時間」と、番組の長さを表す「時間長」と、番組の内容の種類を表す「ジャンル」と、番組の名前である「番組名」と、番組に出演している俳優名である「出演者」と、ユーザが番組を視聴する確率である「視聴の確率」とで構成されている。
【００３５】
「視聴の確率」は、一例として、後述するベイジアンネットワーク等の手法を用いて嗜好モデル学習部３２９Ａによって算出される。
【００３６】
図８は、本発明の第１の実施の形態に係る本発明の第１の実施の形態に係るシーン選択画面の一例である。ユーザが、リモコン４等を用いてシーン選択画面を要求した場合を表している。
【００３７】
シーン選択画面は、「朝の特だね情報局」という番組をシーンに分割して表示した画面であり、番組は、コーナー１として「映画」、コーナー２として「グルメ」、コーナー３として「トラベル」およびコーナー４として「ショッピング」の４つのシーンに分割されている。
【００３８】
それぞれのコーナー（シーン）は、図６に示す詳細メタデータ３２８が付加され、画面上には、一例として、放送時間、再生時間等が表示されている。
【００３９】
（第１の実施の形態の動作）
以下に、本発明の第１の実施の形態に係る録画再生システムの動作を図１から図８を参照しつつ、図９と図１０のフローチャートに従って詳細に説明する。なお、本実施の形態における番組は、予めシーン毎にメタデータが付加されているものとする。
【００４０】
図９は、本発明の第１の実施の形態に関する嗜好モデルの作成処理についての動作を示すフローチャートの一例である。
【００４１】
ベイジアンネットワークは、例えば、図６における、「視聴」、「キーワード」を確率変数（ノード）として定義し、各確率変数の取る値も定義する。一例として、確率変数の取る値として「視聴」の場合は、「視聴する」、「視聴しない」、「キーワード」の場合は、「映画」、「トラベル」等の値を取ることができる。
【００４２】
更に、ベイジアンネットワークは、原因となる確率変数を「親ノード」、結果となる確率変数を「子ノード」として、確率変数間の因果関係の有無を定義し、図７の「視聴の確率」を算出する。
【００４３】
まず、嗜好モデル学習部３２９Ａは、嗜好モデル３２９より嗜好モデル３２９のテンプレートとなるベイジアンネットワークに基づいた構造定義データを呼び出す（Ｓ１）。
【００４４】
構造定義データは、一例として、ノードとしてキーワード、ノードの値として映画およびトラベル、親ノードは設定値なし、子ノードは視聴、として定義される。これらは、ユーザが事前に嗜好やユーザ登録等の入力をしなくても、嗜好モデル学習部３２９Ａは、操作履歴データ３２６等を学習することによって作成することができる。
【００４５】
次に、嗜好モデル学習部３２９Ａは、詳細メタデータ作成部３２８Ａにアクセスして詳細メタデータ３２８を取得する。次に、嗜好モデル学習部３２９Ａは、操作履歴管理部３２６Ａにアクセスして過去の一定期間、例えば１週間の操作履歴データ３２６を取得する（Ｓ２）。
【００４６】
次に、嗜好モデル学習部３２９Ａは、取得したデータをもとにベイジアンネットワークにおける各確率変数の条件付き確率値を計算し（Ｓ３）、構造定義データに確率値をあてはめたものを嗜好モデルとして嗜好モデル３２９へ格納する（Ｓ４）。
【００４７】
嗜好モデル３２９の作成は１日に１回行われるものとし、一例として日付が変わる時間に更新されるが、これに限定されない。また、１日おきに限らず１週間おき等ユーザが設定できるものとしてもよい。
【００４８】
なお、条件付き確率値はシステム設計者が任意の値を設定して求めてもよい。
【００４９】
図１０は、本発明の第１の実施の形態に関する自動録画予約処理についての動作を示すフローチャートの一例である。嗜好モデル３２９に基づいてユーザの嗜好にあった推薦番組を自動で録画予約する場合について表している。
【００５０】
まず、コンテンツ推薦部３２７は、ＥＰＧ管理部３２１Ａにアクセスして２４時間分のＥＰＧデータ３２１を読み込む（Ｓ１１）。
【００５１】
ここで、図５に示したＥＰＧデータ３２１は、一例として、放送局名が「Ａテレビ」の「２１時３０分」から「３０分」放送される番組名が「朝の特だね情報局」である１つの番組について示したが、２４時間分のＥＰＧデータ３２１とは、受信可能な全ての放送局の今後２４時間分のＥＰＧデータ３２１のことを示している。
【００５２】
次に、コンテンツ推薦部３２７は、嗜好モデル学習部３２９Ａにアクセスして嗜好モデル３２９を呼び出し、ＥＰＧデータ３２１中の各番組の推薦度を計算する（Ｓ１２）。
【００５３】
次に、図７に示すように、所定の推薦度を超える番組をリストアップする（Ｓ１３）。図７は、一例として、視聴の確率が０．５以上の番組をリストアップした場合を表している。
【００５４】
次に、コンテンツ推薦部３２７は、リストアップされた番組について録画予約を設定する。録画再生部３２５Ａは録画予約設定を受け付け、録画時に選局管理部３３０にチャンネル選局を指示し、該当する映像ストリームをＴＳＰ部３２０より受信して録画コンテンツ３２５に蓄積する（Ｓ１４）。
【００５５】
図１０に示す自動録画予約処理の動作は２４時間おきに実行され、一例として日付が変わる時間に実行されるが、これに限定されない。なお、コンテンツ推薦部３２７が読み込むＥＰＧデータ３２１は２４時間に限るものではない。別の間隔で読み込む場合は、自動録画予約処理の動作も設定された間隔に基づいて実行されるものとする。
【００５６】
なお、番組をリストアップする際の閾値としての推薦度は設計者が設計しても、ユーザが設定可能としてもよい。
【００５７】
また、本実施の形態では、推薦番組の自動録画予約処理について述べたが、一例として、嗜好に適合しない録画コンテンツ３２５の自動削除処理であっても良いし、これに限定されない。
【００５８】
次に、ユーザが、リモコン４のシーン選択画面表示スイッチ４０３ａを押し下げすると、図８に示すシーン選択画面が画像表示装置５の画面５０に表示される。
【００５９】
このシーン選択画面は、番組を４つのシーンに分割した場合を表し、ユーザが、リモコン４等を用いて任意のコーナーを指示選択すると、コーナーの再生が始まる。
【００６０】
また、ユーザが、一例として、コーナー２を選択し、リモコン４の推薦情報要求スイッチ４０３ｂを押し下げすると、コーナー２で紹介されたお店の情報を得ることができ、コーナー４を選択したのであれば、コーナー４で紹介された商品情報を得ることができる。
【００６１】
（第１の実施の形態の効果）
上記した第１の実施の形態によると、ユーザ登録データ等を入力することなく、嗜好モデルを作成し、嗜好モデルに基づいて的確な情報をユーザに通知することができ、更に、推薦番組に対し自動録画予約処理を施すことができる。
【００６２】
［第２の実施の形態］
（本体ソフトウェアの構成）
図１１は、本発明の第２の実施の形態に係る本体ソフトウェアの構成を示す概略図の一例である。なお、以下の説明において、第１の実施の形態と同一の構成および機能を有する部分については共通の符号を付している。なお、本実施の形態における番組は、予めシーン毎にメタデータが付加されていないものとする。
【００６３】
本体ソフトウェア３２０Ｂは、本体ソフトウェア３２０Ａに、番組をシーンに分割するシーン分割部３３１を新たに加えたものである。
【００６４】
（第２の実施の形態の動作）
録画再生部３２５Ａは、ＥＰＧ管理部３２１Ａより取得したＥＰＧデータ３２１に基づき所望の番組のストリームをＴＳＰ部３２０より取得して、番組データを作成する。
【００６５】
シーン分割部３３１は、録画再生部３２５Ａから取得した番組データを解析してシーンに分割し、詳細メタデータ作成部３２８Ａは、シーン毎の詳細メタデータ３２８作成して番組データに付加し、録画コンテンツ３２５としてハードディスク３２に蓄積する。
【００６６】
ここで、番組データのシーンの分割の方法は、一例として、歓声らしさを番組データより抽出して解析、また、歓声らしさだけでなく、番組データの輝度や色相や音声レベルや拍手らしさや盛り上がり指数等から抽出しても良く、それらを組み合わせて抽出するようにしても良いし、これに限定されない。
【００６７】
このようにして、番組データは、シーンに分割され、シーン毎に詳細メタデータ３２８が付加された録画コンテンツ３２５となり、録画再生装置３は、一例として、第１の実施の形態で示した嗜好モデル３２９の作成や自動録画予約処理等を行うことができる。
【００６８】
（第２の実施の形態の効果）
上記した第２の実施の形態によると、シーン毎に詳細メタデータ３２８が付加されていない番組データであっても、シーンに分割してシーン毎に詳細メタデータ３２８を付加することができる。また、ユーザ登録データ等を入力することなく、嗜好モデルを作成し、嗜好モデルに基づいて的確な情報をユーザに通知することができ、更に、推薦番組に対し自動録画予約処理を施すことができる。
【００６９】
なお、本発明は、上記した実施の形態に限定されず、本発明の技術思想を逸脱あるいは変更しない範囲内で種々の変形が可能である。
【図面の簡単な説明】
【００７０】
【図１】本発明の第１の実施の形態に関する映像再生装置の概略図の一例である。
【図２】本発明の第１の実施の形態に係る録画再生装置の構成を示すブロック図の一例である。
【図３】本発明の第１の実施の形態における本体ソフトウェアの構成を示す概略図の一例である。
【図４】本発明の第１の実施の形態に関するリモコンの構成を示す平面図の一例である。
【図５】本発明の第１の実施の形態に係るＥＰＧデータのフィールド仕様の一例である。
【図６】本発明の第１の実施の形態に係る詳細メタデータと操作履歴情報の一例である。
【図７】本発明の第１の実施の形態に係る推薦番組データの一例である。
【図８】本発明の第１の実施の形態に係るシーン選択画面の一例である。
【図９】本発明の第１の実施の形態に関する嗜好モデルの作成処理についての動作を示すフローチャートの一例である。
【図１０】本発明の第１の実施の形態に関する自動録画予約処理についての動作を示すフローチャートの一例である。
【図１１】本発明の第２の実施の形態に係る本体ソフトウェアの構成を示す概略図の一例である。
【符号の説明】
【００７１】
１・・・録画再生システム、２・・・インターネット、３・・・録画再生装置、４・・・リモコン、５・・・画像表示装置、３０・・・システムＬＳＩ、３１・・・信号受信部、３２・・・ハードディスク、３３・・・Ｉ／Ｆ部、３４・・・コントローラＬＳＩ、３５・・・ＬＡＮ処理ＬＳＩ、３６・・・フラッシュメモリ、３７・・・ＳＲＡＭ、３８・・・３次元ＹＣ分離、３９ａ・・・Ａ／Ｄ部、３９ｂ・・・Ａ／Ｄ部、３９ｃ・・・ゴーストリダクション、５０・・・画面、３００・・・ＤＥＭＵＸ、３０１・・・ＭＰＥＧ−2デコーダ、３０２・・・グラフィックエンジン、３０３・・・デジタルフォーマットコンバータ、３０４・・・ＣＰＵ、３１０・・・デジタルチューナＡ、３１１・・・デジタルチューナＢ、３１２・・・復調部Ａ、３１３・・・復調部Ｂ、３２０・・・ＴＳＰ部、３２０Ａ・・・本体ソフトウェア、３２０Ｂ・・・本体ソフトウェア、３２１・・・ＥＰＧデータ、３２１Ａ・・・ＥＰＧ管理部、３２２・・・映像管理部、３２３・・・音声管理部、３２４・・・データ放送管理部、３２５・・・録画コンテンツ、３２５Ａ・・・録画再生部、３２６・・・操作履歴データ、３２６Ａ・・・操作履歴管理部、３２７・・・コンテンツ推薦部、３２８・・・詳細メタデータ、３２８Ａ・・・詳細メタデータ作成部、３２９・・・嗜好モデル、３２９Ａ・・・嗜好モデル学習部、３３０・・・選局管理部、３３１・・・シーン分割部、４００・・・テレビ機能操作スイッチ群、４０１・・・ルータービデオ切替スイッチ、４０２・・・表示機能操作スイッチ群、４０３・・・記録再生操作スイッチ群、４０３ａ・・・シーン選択画面表示スイッチ、４０３ｂ・・・推薦情報要求スイッチ、４０４・・・数値入力スイッチ群
【図１】
2008167019.tif 000003
【図２】
2008167019.tif 000004
【図３】
2008167019.tif 000005
【図４】
2008167019.tif 000006
【図５】
2008167019.tif 000007
【図６】
2008167019.tif 000008
【図７】
2008167019.tif 000009
【図８】
2008167019.tif 000010
【図９】
2008167019.tif 000011
【図１０】
2008167019.tif 000012
【図１１】
2008167019.tif 000013